(57)【要約】【課題】所定周波数範囲のバンドで高域側のチャンネル受信時に、低域側での特性を犠牲にすることなく、高域側のイメージ妨害耐性を改善すること。【解決手段】一次側同調回路（Ｆ１）と、一次側同調回路（Ｆ１）と結合する二次側同調回路（Ｆ２）と、イメージトラップ回路（ＴＲ）とを備え、一次側同調回路（Ｆ１）は第１インダクタ（Ｌ１）、結合用インダクタ（Ｌａ）、第１可変容量素子（ＶＤ１）とで形成され、２次側同調回路（Ｆ２）は第２インダクタ（Ｌ２）、結合用インダクタ（Ｌａ）、第２可変容量素子（ＶＤ２）とで形成され、入力端と出力端間に接続されたキャパシタ（Ｃ１）、第１、第２インダクタ（Ｌ１、Ｌ２）でイメージトラップ回路（ＴＲ）を構成する。結合用インダクタ（Ｌａ）とキャパシタ（Ｃ２）との共振回路の共振周波数を、受信している信号のイメージトラップ周波数より高い周波数になるように設定した。【選択図】図１
2011254452.tif 000002
【特許請求の範囲】
【請求項１】
一端が入力端に接続された第１のインダクタ、一端が前記第１のインダクタの他端に接続され、他端が接地された結合用インダクタ、及び前記入力端と接地間に接続された第１可変容量素子とで形成された一次側同調回路と、
一端が出力端に接続され、他端が前記第１のインダクタの他端に接続された第２のインダクタ、前記結合用インダクタ、及び前記出力端と接地間に接続された第２可変容量素子とで形成された二次側同調回路と、
前記入力端と出力端間に接続された第１のキャパシタと、
前記結合用インダクタに並列に接続された第２のキャパシタと、を備え、
前記第１、第２のインダクタ及び結合用インダクタと、前記第１のキャパシタとでイメージトラップ回路を形成し、
所定周波数範囲内の高域側信号受信時に、前記結合用インダクタと第２のキャパシタとの並列接続回路の共振周波数が、受信している信号のイメージトラップ周波数より高い周波数になるように設定したことを特徴とするテレビジョンチューナの複同調回路。
【請求項２】
前段に他の同調回路が接続されていると共に、前記他の同調回路にもイメージトラップ回路が形成されていることを特徴とする請求項１記載のテレビジョンチューナの複同調回路。
【請求項３】
前記他の同調回路が、高周波増幅回路を介して接続されていることを特徴とする請求項２記載のテレビジョンチューナの複同調回路。
【請求項４】
一端が入力端に接続された第１のインダクタ、一端が前記第１のインダクタの他端に接続され、他端が接地された結合用インダクタ、及び前記入力端と接地間に接続された第１可変容量素子とで形成された１次側同調回路と、
一端が出力端に接続され、他端が前記第１のインダクタの他端に接続された第２のインダクタ、前記結合用インダクタ、及び前記出力端と接地間に接続された第２可変容量素子とで形成された２次側同調回路と、
前記入力端と出力端間に接続された第１のキャパシタと、
前記結合用インダクタに並列に接続された第２のキャパシタと、を備え、
前記第１のインダクタ及び第２のインダクタを、それぞれ直列接続された２個のインダクタで構成し、前記第１のインダクタを構成する２個のインダクタの接続点と第２のインダクタを構成する２個のインダクタの接続点との間に第３のキャパシタを接続すると共に、前記接続点それぞれとグランド間にスイッチ回路を接続し、
所定周波数範囲内の信号受信時に前記スイッチ回路をオフとすることで、前記所定周波数範囲内の信号受信時に前記第１、第２のインダクタ及び結合用インダクタと、前記第１、第３のキャパシタとでイメージトラップ回路を形成し、前記所定周波数範囲外の信号受信時に前記スイッチ回路をオンとすることで、前記所定周波数範囲外の信号受信時に前記第１、第２のインダクタと、前記第１のキャパシタとでイメージトラップ回路を形成し、
前記所定周波数範囲内の高域側信号受信時に、前記結合用インダクタと第２のキャパシタとの並列接続回路の共振周波数が、受信している信号のイメージトラップ周波数より高い周波数になるように設定したことを特徴とするテレビジョンチューナの複同調回路。
【請求項５】
前記結合用インダクタに直列又は並列に接続された抵抗を備えたことを特徴とする請求項１から請求項４のいずれかに記載のテレビジョンチューナの複同調回路。
【発明の詳細な説明】
【技術分野】
【０００１】
本発明は、周波数混合器の前段に配置されテレビジョン信号のイメージ周波数成分を減衰させるイメージトラップが形成されるテレビジョンチューナの複同調回路に関する。
【背景技術】
【０００２】
一般に、テレビジョンチューナの複同調回路は、受信したテレビジョン信号を増幅するＲＦ増幅回路とテレビジョン信号を中間周波信号に変換する周波数混合器との間に接続配置されるもので、通常、第１インダクタと第１可変容量素子とを並列接続した一次側同調回路と、第２インダクタと第２可変容量素子とを並列接続した二次側同調回路とからなり、第１インダクタと第２インダクタとを誘導結合したものである。そして、この種のテレビジョンチューナの複同調回路においては、テレビジョン信号のイメージ周波数成分を減衰させるイメージトラップが形成配置されているものがあり、そのイメージトラップを形成する場合、種々の形式のものが提案されている（例えば、特許文献１参照）。
【０００３】
図６にイメージ周波数成分を減衰させるイメージトラップが形成配置されたテレビジョンチューナの複同調回路の構成例を示す。同図に示す複同調回路１０は、テレビジョン信号を増幅するＲＦ増幅回路１１とテレビジョン信号を中間周波信号に変換する周波数混合器１２との間に接続配置されている。ＲＦ増幅回路１１の前段にはアンテナ同調回路１３が接続されている。複同調回路１０は、一次側同調回路と二次側同調回路とで構成されている。一次側同調回路は、第１インダクタＬ１、結合用インダクタＬａ、第１可変容量素子ＶＤ１とで構成されており、二次側同調回路は、第２インダクタＬ２、結合用インダクタＬａ、第２可変容量素子ＶＤ２とで構成されている。複同調回路１０の出力端子（周波数混合器１２の入力端子）と入力端子（ＲＦ増幅回路１１の出力端子）との間にキャパシタＣを接続しており、第１インダクタＬ１、第２インダクタＬ２及びキャパシタＣからなる閉回路でイメージ抑圧のためのトラップ回路（以下、イメージトラップ回路という）を構成している。このイメージトラップ回路は、第１及び第２可変容量素子ＶＤ１、ＶＤ２に印加されるチューニング電圧Vtuの高低に連動して減衰極が変動する。
【０００４】
上記複同調回路１０において、第１インダクタＬ１、結合用インダクタＬａのＬ値は、一次側同調回路で同調させる希望波ｆ１に応じて決まり、第２インダクタＬ２、結合用インダクタＬａのＬ値は、二次側同調回路で同調させる希望波ｆ２に応じて決まる。すなわち、一次側同調回路ではｆ１（Ｌ）＝Ｌ１＋ＬａにてＬ値が設定され、二次側同調回路ではｆ２（Ｌ）＝Ｌ２＋ＬａにてＬ値が設定される。Ｌ１，Ｌ２のＬ値を増加させれば、ＬａのＬ値は減少方向に修正し、Ｌ１，Ｌ２のＬ値を減少させれば、ＬａのＬ値は増加方向に修正する必要がある。
【０００５】
また、イメージトラップ回路は、第１、第２インダクタＬ１，Ｌ２のＬ値を増加させれば（Ｌａは減少）、トラップ周波数は低域側へシフトし、第１、第２インダクタＬ１，Ｌ２のＬ値を減少させれば（Ｌａは増加）、トラップ周波数は高域側へシフトする。
【０００６】
以上のように構成されたテレビジョンチューナの複同調回路１０において、ＶＨＦローバンド又はＶＨＦハイバンドの受信時に、第１及び第２可変容量素子ＶＤ１，ＶＤ２へ印加するチューニング電圧Vtuを制御し、第１及び第２可変容量素子ＶＤ１，ＶＤ２の容量を可変させて、バンド毎に低域側から高域側までの間で任意のチャンネルを選択受信する。
【先行技術文献】
【特許文献】
【０００７】
【特許文献１】実用新案登録第３１０８７１３号公報
【発明の概要】
【発明が解決しようとする課題】
【０００８】
しかしながら、従来のテレビジョンチューナの複同調回路は、所定周波数範囲のバンドにおいて低域側から高域側の広範囲でそれぞれイメージ周波数を抑圧する必要があるが、高域側のチャンネル受信時にイメージトラップ回路によるトラップ位置が十分に高域側にシフトせずにイメージ周波数に対して低域側にずれて十分な減衰が得られないという問題があった。
【０００９】
たとえば、イメージトラップ回路のキャパシタＣをＶＨＦハイバンドの特性に合わせた容量値に設定した場合、ＶＨＦローバンドの高域側受信時に、トラップ周波数がイメージ周波数に対して低域側にずれてしまって十分な減衰量が得られない問題がある。この対策として、結合用インダクタＬａのＬ値を増加させることも考えられるが、それではＶＨＦローバンドの低域側の同調特性に影響を及ぼすことから対策として十分でない。
【００１０】
本発明は、かかる点に鑑みてなされたものであり、所定周波数範囲のバンドで高域側のチャンネル受信時に、低域側での特性を犠牲にすることなく、高域側のイメージ妨害耐性を改善できるテレビジョンチューナの複同調回路を提供することを目的とする。
【課題を解決するための手段】
【００１１】
本発明のテレビジョンチューナの複同調回路は、一端が入力端に接続された第１のインダクタ、一端が前記第１のインダクタの他端に接続され、他端が接地された結合用インダクタ、及び前記入力端と接地間に接続された第１可変容量素子とで形成された一次側同調回路と、一端が出力端に接続され、他端が前記第１のインダクタの他端に接続された第２のインダクタ、前記結合用インダクタ、及び前記出力端と接地間に接続された第２可変容量素子とで形成された二次側同調回路と、前記入力端と出力端間に接続された第１のキャパシタと、前記結合用インダクタに並列に接続された第２のキャパシタと、を備え、前記第１、第２のインダクタ及び結合用インダクタと、前記第１のキャパシタとでイメージトラップ回路を形成し、所定周波数範囲内の高域側信号受信時に、前記結合用インダクタと第２のキャパシタとの並列接続回路の共振周波数が、受信している信号のイメージトラップ周波数より高い周波数になるように設定したことを特徴とする。
【００１２】
この構成によれば、結合用インダクタに第２のキャパシタを並列に接続し、高域側信号受信時に、前記結合用インダクタと第２のキャパシタとの並列接続回路の共振周波数が、受信している信号のイメージトラップ周波数より高い周波数になるように設定したので、高域側では結合用インダクタの特性インピーダンスが極めて高くなり、第１、第２のインダクタのＬ値が小さくなり、トラップ周波数を高くできることとなり、バンド内の高域側のチャンネル受信時に、バンド内の低域側での特性を犠牲にすることなく、高域側のイメージ妨害耐性を改善できる。
【００１３】
また上記テレビジョンチューナの複同調回路において、前段に他の同調回路が接続されていると共に、前記他の同調回路にもイメージトラップ回路が形成されていることを特徴とする。
【００１４】
また上記テレビジョンチューナの複同調回路において、前記他の同調回路が、高周波増幅回路を介して接続されている。
【００１５】
本発明のテレビジョンチューナの複同調回路は、一端が入力端に接続された第１のインダクタ、一端が前記第１のインダクタの他端に接続され、他端が接地された結合用インダクタ、及び前記入力端と接地間に接続された第１可変容量素子とで形成された１次側同調回路と、一端が出力端に接続され、他端が前記第１のインダクタの他端に接続された第２のインダクタ、前記結合用インダクタ、及び前記出力端と接地間に接続された第２可変容量素子とで形成された２次側同調回路と、前記入力端と出力端間に接続された第１のキャパシタと、前記結合用インダクタに並列に接続された第２のキャパシタと、を備え、前記第１のインダクタ及び第２のインダクタを、それぞれ直列接続された２個のインダクタで構成し、前記第１のインダクタを構成する２個のインダクタの接続点と第２のインダクタを構成する２個のインダクタの接続点との間に第３のキャパシタを接続すると共に、前記接続点それぞれとグランド間にスイッチ回路を接続し、所定周波数範囲内の信号受信時に前記スイッチ回路をオフとすることで、前記所定周波数範囲内の信号受信時に前記第１、第２のインダクタ及び結合用インダクタと、前記第１、第３のキャパシタとでイメージトラップ回路を形成し、前記所定周波数範囲外の信号受信時に前記スイッチ回路をオンとすることで、前記所定周波数範囲外の信号受信時に前記第１、第２のインダクタと、前記第１のキャパシタとでイメージトラップ回路を形成し、前記所定周波数範囲内の高域側信号受信時に、前記結合用インダクタと第２のキャパシタとの並列接続回路の共振周波数が、受信している信号のイメージトラップ周波数より高い周波数になるように設定したことを特徴とする。
【００１６】
この構成によれば、所定周波数範囲内の信号受信時に前記第１、第２のインダクタ及び結合用インダクタと、前記第１、第３のキャパシタとでイメージトラップ回路を形成し、所定周波数範囲外の信号受信時に前記第１、第２のインダクタと、前記第１のキャパシタとでイメージトラップ回路を形成するため、所定周波数範囲内の信号受信及び所定周波数範囲外の信号受信に適したイメージトラップ回路ＴＲが実現する。
【００１７】
上記テレビジョンチューナの複同調回路において、前記結合用インダクタに直列又は並列に接続された抵抗を備えている。
【００１８】
この構成によれば、結合用インダクタに対して抵抗Ｒ１を直列又は並列に接続することで、ＬＣ並列共振回路のＱ特性が抑圧される。このため、所定周波数範囲内の高域側信号受信時の波形のうねり現象が低減される。また、抵抗の付加により、イメージ周波数位置での減衰量をさらに大きくできる。
【発明の効果】
【００１９】
本発明によれば、所定周波数範囲のバンドで高域側のチャンネル受信時に、低域側での特性を犠牲にすることなく、高域側のイメージ妨害耐性を改善できる。
【図面の簡単な説明】
【００２０】
【図１】実施の形態１に係るテレビジョンチューナの複同調回路の構成図
【図２】ＶＨＦローバンドの低域側受信時における複同調回路の特性を示す図
【図３】ＶＨＦローバンドの高域側受信時における複同調回路の特性を示す図
【図４】追加容量の容量値を変化させて共振点の推移とイメージ周波数成分の減衰量とを対比させた図
【図５】低域側から高域側までの各受信チャンネルについて計算した減衰量を示す図
【図６】従来のテレビジョンチューナの複同調回路の構成図
【図７】従来のテレビジョンチューナの複同調回路の特性を示す図
【図８】実施の形態１に係るテレビジョンチューナの複同調回路の変形例を示す構成図
【図９】実施の形態２に係るテレビジョンチューナの複同調回路の構成図
【図１０】実施の形態２に係る複同調回路のＶＨＦローバンドの高域側受信時における特性を示す図
【図１１】比較例に係る複同調回路のＶＨＦローバンドの高域側受信時における特性を示す図
【図１２】実施の形態３に係るテレビジョンチューナの複同調回路の構成図
【図１３】実施の形態３に係る複同調回路のＶＨＦローバンドの高域側受信時における特性を示す図
【図１４】実施の形態３に係る複同調回路のＶＨＦハイバンドの高域側受信時における特性を示す図
【図１５】比較例に係る複同調回路のＶＨＦローバンドの高域側受信時における特性を示す図
【発明を実施するための形態】
【００２１】
以下、本発明の実施の形態について添付図面を参照して詳細に説明する。
【００２２】
（実施の形態１）
図１は一実施の形態に係るテレビジョンチューナの複同調回路の構成図である。
本実施の形態に係るテレビジョンチューナの複同調回路１は、一次側同調回路Ｆ１と、この一次側同調回路Ｆ１と結合する二次側同調回路Ｆ２と、希望チャンネルのイメージ周波数を抑圧するイメージトラップ回路ＴＲとを備えている。なお、複同調回路１の入力側にはアンテナ同調回路２及びＲＦ増幅回路３が配置され、複同調回路１の出力側には周波数混合器４が配置されている。アンテナ同調回路２にはイメージトラップ回路が形成されている。
【００２３】
一次側同調回路Ｆ１は、複同調回路１の入力端子ＩＮに対して第１インダクタＬ１の一端が接続されると共に、第１可変容量素子であるバラクタダイオードＶＤ１のカソードが直流カットコンデンサＣａを介して接続されている。第１インダクタＬ１の他端は結合用インダクタＬａを経由して接地され、バラクタダイオードＶＤ１のアノードも接地されている。バラクタダイオードＶＤ１のカソードにはチューニング電圧Vtuが印加される。このように、一次側同調回路Ｆ１は、第１インダクタＬ１、結合用インダクタＬａ、バラクタダイオードＶＤ１からなるＬＣ並列共振回路で構成されている。
【００２４】
二次側同調回路Ｆ２は、第２インダクタＬ２の一端が、第１インダクタＬ１と結合用インダクタＬａとの中間接続点に接続されている。第２インダクタＬ２の他端は複同調回路１の出力端子ＯＵＴに接続されると共に第２可変容量素子であるバラクタダイオードＶＤ２のカソードに直流カットコンデンサＣｂを介して接続されている。第２インダクタＬ２の一端は結合用インダクタＬａを経由して接地され、バラクタダイオードＶＤ２のアノードも接地されている。バラクタダイオードＶＤ２のカソードにはチューニング電圧Vtuが印加される。このように、二次側同調回路Ｆ２は、結合用インダクタＬａ、第２インダクタＬ２、バラクタダイオードＶＤ２からなるＬＣ並列共振回路で構成されている。
【００２５】
イメージトラップ回路ＴＲは、複同調回路１の入力端子ＩＮと出力端子ＯＵＴとの間を接続するキャパシタＣ１と、第１インダクタＬ１及び第２インダクタＬ２からなる閉回路で構成されている。チューニング電圧Vtuの高低に連動してトラップ周波数が可変する。このとき、キャパシタＣ１の容量値をＶＨＦハイバンドの特性に合わせて設定している場合でも、ＶＨＦローバンドの低域側から高域側の全範囲でイメージ周波数を十分に減衰できる位置にトラップが形成配置されるようにしている。
【００２６】
そのため、本実施の形態では、結合用素子として機能する結合用インダクタＬａに対してキャパシタＣ２を並列に接続した。結合用インダクタＬａとキャパシタＣ２とでＬＣ並列共振回路を構成している。結合用インダクタＬａとキャパシタＣ２とからなるＬＣ並列共振回路の共振周波数が、高域側のチャンネル受信時のイメージ周波数よりも高域側に位置するように、キャパシタＣ２の容量値を設定する。たとえば、ＶＨＦローバンドにおいて、低域側のチャンネルが４８．２５ＭＨｚで、高域側のチャンネルが１２６．２５ＭＨｚであるとする。高域側のチャンネル受信時は、受信チャンネル（１２６．２５ＭＨｚ）から高域側に７８ＭＨｚ離れた位置にイメージ周波数が現れる。そこで、結合用インダクタＬａとキャパシタＣ２とからなるＬＣ並列共振回路の共振周波数は、イメージ周波数（１２６．２５＋７８ＭＨｚ）よりも高域側に位置するように設定する。
【００２７】
以上のように構成された複同調回路１では、ＶＨＦローバンドの低域側チャンネル（例えば、４８．２５ＭＨｚ）受信時には、一次側同調回路Ｆ１及び二次側同調回路Ｆ２においてそれぞれ受信チャンネルに相当する希望波ｆ１、ｆ２が受信され、後段の周波数混合器４で中間周波信号に周波数変換される。
【００２８】
イメージトラップ回路ＴＲでは、後述するように追加したキャパシタＣ２による特性の影響はないので、トラップ周波数が受信チャンネル（４８．２５ＭＨｚ）のイメージ周波数上へシフトし、イメージ周波数を十分に減衰することができる。このとき、結合用インダクタＬａとキャパシタＣ２とで構成されるＬＣ並列共振回路の共振周波数よりも大幅に低い周波数であるので、結合用インダクタＬａの特性インピーダンスは非常に小さく、イメージトラップ回路ＴＲの特性への影響は無視できる。
【００２９】
図２にＶＨＦローバンドの低域側受信時における複同調回路１の特性を示す。
キャパシタＣ２は９．１ＰＦであり、低域側の受信チャンネルは４８．２５ＭＨｚでシミュレーションしている。受信チャンネル（４８．２５ＭＨｚ）から高域側に７８ＭＨｚずれたイメージ周波数位置での減衰は６７ｄＢであり、イメージ周波数上に重ねて設定されたトラップによって十分な減衰量が確保されている。
【００３０】
ＶＨＦローバンドでの高域側チャンネル（例えば、１２６．２５ＭＨｚ）受信時には、一次側同調回路Ｆ１及び二次側同調回路Ｆ２においてそれぞれ受信チャンネルに相当する希望波ｆ１、ｆ２が受信され、後段の周波数混合器４で中間周波信号に周波数変換される。
【００３１】
イメージトラップ回路ＴＲでは、結合用インダクタＬａとキャパシタＣ２とで構成されるＬＣ並列共振回路の共振周波数が、受信チャンネル（１２６．２５ＭＨｚ）のイメージ周波数よりも高域側に設定されているので、高域側受信時における結合用インダクタＬａの特性インピーダンスが極めて大きくなっている。このため、結合用インダクタＬａの特性インピーダンスが増加するのに対応して、イメージトラップ回路ＴＲのＬ値（第１、第２インダクタＬ１，Ｌ２のＬ値）が小さくなるので、イメージトラップ回路ＴＲのトラップ周波数が上がることになる。すなわち、これまでは高域側受信時にトラップ周波数の高域側へのシフト量が不十分であったが、本実施の形態では結合用インダクタＬａの特性インピーダンスが大きくなっていることで、トラップ周波数の高域側へのシフト量を増大させることができる。しかも、シフト量はキャパシタＣ２の容量設定によって容易に調整できるので、低域側での特性を犠牲にすること無く、高域側のイメージ妨害耐性を改善できる。
【００３２】
図３にＶＨＦローバンドの高域側受信時における複同調回路１の特性シミュレーションを示す。
キャパシタＣ２は９．１ＰＦであり、高域側の受信チャンネルは１２６．２５ＭＨｚでシミュレーションしている。これまでは高域側受信時にトラップ周波数の高域側へのシフト量が不十分であったためにイメージ周波数よりも低域の受信チャンネル側に位置していたトラップがイメージ周波数上までシフトしている。このため、イメージ周波数位置での減衰は６４ｄＢであり、イメージ周波数上に重ねて設定されたトラップによって十分な減衰量が確保されている。
【００３３】
図４（ａ）（ｂ）（ｃ）は追加容量の容量値を変化させて共振回路（Ｌａ＋Ｃ２）の共振点の推移とイメージ周波数成分の減衰量とを対比させた特性シミュレーションを示す。図４（ａ）は追加容量が８．２ＰＦ、図４（ｂ）は追加容量が９．１ＰＦ、図４（ｃ）は追加容量が１０ＰＦであり、受信チャンネルは１２６．２５ＭＨｚである。追加容量が８．２ＰＦ、９．１ＰＦの場合に６３ｄＢの減衰量を実現している。キャパシタＣ２の容量値に応じて共振点がシフトしている。
【００３４】
図５はキャパシタC2の装着前後での特性変化をNo.1〜No.3のN=3の評価Sampleで行った結果を図示している。キャパシタＣ２を９．１ＰＦとして低域側から高域側までの各受信チャンネルについて特性変化（減衰量）の評価を行った。初期Ｎｏ１から初期Ｎｏ３は、キャパシタＣ２（＝９．１ＰＦ）を追加していない回路構成での減衰特性であり、修正Ｎｏ．１から修正Ｎｏ．３はキャパシタＣ２（＝９．１ＰＦ）を追加した回路構成での減衰特性である。同図より、高域側（１０４．２５ＭＨｚ、１２６．２５ＭＨｚ）では顕著な減衰量の改善（１０ｄＢから２０ｄＢ程度）が認められる。
【００３５】
図７に比較のために従来のテレビジョンチューナの複同調回路１０のＶＨＦローバンドでの低域側受信時及び高域側受信時の特性を示す。同図（ａ）に示すように、低域側（４８．２５ＭＨｚ）受信時の特性は十分な減衰を確保できているが、同図（ｂ）に示すように、高域側（１２６．２５ＭＨｚ）受信時の特性はイメージ周波数位置で十分な減衰量を確保できていない。これは、高域側（１２６．２５ＭＨｚ）受信時にはトラップがイメージ周波数よりも希望波側となる低域側に配置されていることによる。
以上の比較例からも、本実施の形態では、高域受信時に結合用インダクタＬａの特性インピーダンスが大きくなり、トラップ周波数の高域側へのシフト量が増大していることが確認できる。
【００３６】
図８は図１に示されるテレビジョンチューナの複同調回路の変形例を示す構成図である。
図８に示されるテレビジョンチューナの複同調回路１ａは、一次側同調回路Ｆ１（Ｆ１ａ）と、一次側同調回路Ｆ１（Ｆ１ａ）と結合する二次側同調回路Ｆ２（Ｆ２ａ）と、希望チャンネルのイメージ周波数を抑圧するイメージトラップ回路ＴＲとを備えている。なお、複同調回路１ａの入力側にはアンテナ同調回路２及びＲＦ増幅回路３が配置され、複同調回路２の出力側には周波数混合器４が配置されている。アンテナ同調回路２にはイメージトラップ回路が形成されている。
【００３７】
一次側同調回路Ｆ１は、複同調回路１ａの入力端子ＩＮに対してインダクタＬ１ａの一端が接続されると共に、第１可変容量素子であるバラクタダイオードＶＤ１のカソードが直流カットコンデンサＣａを介して接続されている。インダクタＬ１ａの他端はインダクタＬ１ｂの一端に接続されると共に、スイッチ回路ＳＷ１を介して接地されている。インダクタＬ１ｂの他端は結合用インダクタＬａを経由して接地されている。バラクタダイオードＶＤ１のアノードも接地されている。バラクタダイオードＶＤ１のカソードにはチューニング電圧Vtuが印加される。このように、一次側同調回路Ｆ１は、インダクタＬ１ａ，Ｌ１ｂ、結合用インダクタＬａ、バラクタダイオードＶＤ１からなるＬＣ並列共振回路で構成されている。
【００３８】
一次側同調回路Ｆ１ａは、スイッチ回路ＳＷ１がオンの状態では、インダクタＬ１ｂ及び結合用インダクタＬａが無効となり、インダクタＬ１ａ、バラクタダイオードＶＤ１からなるＬＣ並列共振回路が構成される。
【００３９】
二次側同調回路Ｆ２は、インダクタＬ２ｂの一端が、インダクタＬ１ｂと結合用インダクタＬａとの中間接続点に接続されている。インダクタＬ２ｂの他端はインダクタＬ２ａの一端に接続されると共に、スイッチ回路ＳＷ２を介して接地されている。インダクタＬ２ａの他端は複同調回路１ａの出力端子ＯＵＴに接続されると共に第２可変容量素子であるバラクタダイオードＶＤ２のカソードに直流カットコンデンサＣｂを介して接続されている。インダクタＬ２ｂの一端は結合用インダクタＬａを経由して接地されている。バラクタダイオードＶＤ２のアノードも接地されている。バラクタダイオードＶＤ２のカソードにはチューニング電圧Vtuが印加される。このように、二次側同調回路Ｆ２は、インダクタＬ２ａ，Ｌ２ｂ、結合用インダクタＬａ、バラクタダイオードＶＤ２からなるＬＣ並列共振回路で構成されている。
【００４０】
二次側同調回路Ｆ２ａは、スイッチ回路ＳＷ２がオンの状態では、インダクタＬ２ｂ及び結合用インダクタＬａが無効となり、インダクタＬ２ａ、バラクタダイオードＶＤ２からなるＬＣ並列共振回路が構成される。ここで、インダクタＬ２ａは、インダクタＬ１ａと誘導結合している。
【００４１】
一次側同調回路（Ｆ１，Ｆ１ａ）、二次側同調回路（Ｆ２，Ｆ２ａ）は、スイッチ回路ＳＷ１、ＳＷ２のオン／オフによって受信帯域が切り替えられる。ＶＨＦローバンドの受信時にはスイッチ回路ＳＷ１、ＳＷ２をオフにして、インダクタＬ１ａ，Ｌ１ｂ，Ｌ２ａ，Ｌ２ｂ、及び結合用インダクタＬａを有効化する。ＶＨＦハイバンドの受信時にはスイッチ回路ＳＷ１、ＳＷ２をオンにして、インダクタＬ１ｂ，Ｌ２ｂ、及び結合用インダクタＬａを無効化する。つまり、ＶＨＦローバンドの受信時には一次側同調回路Ｆ１及び二次側同調回路Ｆ２に切り替えられ、ＶＨＦハイバンドの受信時には一次側同調回路Ｆ１ａ及び二次側同調回路Ｆ２ａに切り替えられる。
【００４２】
イメージトラップ回路ＴＲは、複同調回路１ａの入力端子ＩＮと出力端子ＯＵＴとの間を接続するキャパシタＣ１と、インダクタＬ１ａ，Ｌ１ｂ，Ｌ２ａ，Ｌ２ｂからなる閉回路で構成されている。チューニング電圧Vtuの高低に連動してトラップ周波数が可変する。このとき、キャパシタＣ１の容量値をＶＨＦハイバンドの特性に合わせて設定している場合でも、ＶＨＦローバンドの低域側から高域側の全範囲でイメージ周波数を十分に減衰できる位置にトラップが形成配置されるようにしている。
【００４３】
そのため、上述した複同調回路１ａでは、結合用素子として機能する結合用インダクタＬａに対してキャパシタＣ２を並列に接続し、結合用インダクタＬａとキャパシタＣ２とでＬＣ並列共振回路を構成した。キャパシタＣ２の容量値は、結合用インダクタＬａとキャパシタＣ２とからなるＬＣ並列共振回路の共振周波数が、高域側のチャンネル受信時のイメージ周波数よりも高域側に位置するように設定する。
【００４４】
上述した複同調回路１ａでは、ＶＨＦローバンドの低域側チャンネル（例えば、４８．２５ＭＨｚ）受信時には、一次側同調回路Ｆ１、二次側同調回路Ｆ２においてそれぞれ受信チャンネルに相当する希望波ｆ１、ｆ２が受信され、後段の周波数混合器４で中間周波信号に周波数変換される。イメージトラップ回路ＴＲでは、キャパシタＣ２による特性の影響はないので、トラップ周波数が受信チャンネル（４８．２５ＭＨｚ）のイメージ周波数上へシフトし、イメージ周波数を十分に減衰することができる。
【００４５】
また、複同調回路１ａは、スイッチ回路ＳＷ１、ＳＷ２を備えることにより、受信周波数範囲に応じてインダクタＬ１ａ，Ｌ１ｂ，Ｌ２ａ，Ｌ２ｂ、及び結合用インダクタＬａの有効／無効を切り替える。このため、一次側同調回路Ｆ１，Ｆ１ａ、二次側同調回路Ｆ２，Ｆ２ａを切り替えて、希望波を良好に受信可能である。また、図１に示される複同調回路１と同様、結合用インダクタＬａの特性インピーダンスが大きくなっていることで、トラップ周波数の高域側へのシフト量を増大させることができる。シフト量はキャパシタＣ２の容量設定によって容易に調整できるので、低域側での特性を犠牲にすること無く、高域側のイメージ妨害耐性を改善できる。
【００４６】
本実施の形態は、他の実施の形態に示される構成と適宜組み合わせて実施可能である。
【００４７】
（実施の形態２）
図９は一実施の形態に係るテレビジョンチューナの複同調回路の構成図である。
本実施の形態に係るテレビジョンチューナの複同調回路１ｂは、図８に示される複同調回路１ａにおいて、結合用インダクタＬａに対して抵抗Ｒ１を並列に（キャパシタＣ２に対して抵抗Ｒ１を直列に）接続したものに相当する。すなわち、本実施の形態では、結合用素子として機能する結合用インダクタＬａに対してキャパシタＣ２を並列に接続し、結合用インダクタＬａに対して抵抗Ｒ１を並列に（キャパシタＣ２に対して抵抗Ｒ１を直列に）接続した。結合用インダクタＬａとキャパシタＣ２とでＬＣ並列共振回路を構成し、抵抗Ｒ１によってＬＣ並列共振回路のＱ特性を抑圧している。このため、ＶＨＦハイバンドの受信時におけるＬＣ並列共振回路の影響を低減できる。また、抵抗Ｒ１を付加したことにより、イメージ周波数をさらに減衰させることができる。
【００４８】
図１０にＶＨＦローバンドの高域側受信時における本実施の形態の複同調回路１ｂの特性シミュレーション結果を示す。キャパシタＣ２は７．５ＰＦ、抵抗Ｒ１は１０Ωであり、高域側の受信チャンネルは１１９．２５ＭＨｚでシミュレーションしている。また、図１１にＶＨＦローバンドの高域側受信時における図８の複同調回路１ａの特性シミュレーション結果を示す。キャパシタＣ２は７．５ＰＦであり、高域側の受信チャンネルは１１９．２５ＭＨｚでシミュレーションしている。
【００４９】
図１１に示されるように、図８に係る複同調回路１ａでは、結合用インダクタＬａとキャパシタＣ２とで構成されるＬＣ並列共振回路の共振特性によるインピーダンス変化の影響を受け、ＬＣ並列共振回路の共振点である３１８ＭＨｚ付近において波形のうねり現象が発生している。このようにＶＨＦハイバンドの受信周波数帯域内にうねりが生じるのは、ＬＣ並列共振回路の共振周波数が、受信チャンネル（１１９．２５ＭＨｚ）のイメージ周波数よりも高域側に設定されているためである。ＶＨＦハイバンドの受信時には、ＬＣ並列共振回路が一次側同調回路Ｆ１ａ及び二次側同調回路Ｆ２ａに並列に接続されるため、ＬＣ並列共振回路の共振特性が一次側同調回路Ｆ１ａ及び二次側同調回路Ｆ２ａの特性に影響を及ぼす。
【００５０】
本実施の形態の複同調回路１ｂは、結合用インダクタＬａに対して抵抗Ｒ１を並列に（キャパシタＣ２に対して抵抗Ｒ１を直列に）接続することで、図１０に示されるようにＬＣ並列共振回路のＱ特性を抑圧している。このようにＱ特性を抑制することで、ＶＨＦハイバンドの受信時においてもインピーダンス変化の影響が大きく緩和され、波形のうねり現象が低減される。
【００５１】
また、抵抗Ｒ１を付加したことにより、トラップ回路の減衰特性にも変化が生じる。図８の複同調回路１ａではイメージ周波数位置での減衰は５４ｄＢであるのに対し（図１１）、本実施の形態の複同調回路１ｂではイメージ周波数位置での減衰は５９ｄＢとなっている（図１０）。このように、抵抗Ｒ１の付加により、イメージ周波数位置での減衰量をさらに大きくできる。
【００５２】
なお、複同調回路１ｂにおいて、ＬＣ並列共振回路のＱ特性を抑圧するために付加する抵抗Ｒ１は、結合用インダクタＬａに対して抵抗Ｒ１を並列に（キャパシタＣ２に対して抵抗Ｒ１を直列に）接続することに限られない。結合用インダクタＬａに対して抵抗Ｒ１を直列に（キャパシタＣ２に対して抵抗Ｒ１を並列に）接続しても良い。
【００５３】
本実施の形態は、他の実施の形態に示される構成と適宜組み合わせて実施可能である。
【００５４】
（実施の形態３）
図１２は一実施の形態に係るテレビジョンチューナの複同調回路の構成図である。
本実施の形態に係るテレビジョンチューナの複同調回路１ｃは、図９に示される複同調回路１ｂにおいて、インダクタＬ１ａ及びインダクタＬ１ｂの接続点と、インダクタＬ２ａ及びインダクタＬ２ｂの接続点との間にキャパシタＣ３を接続したものに相当する。
【００５５】
このような構成の複同調回路１ｃにおいて、ＶＨＦローバンドの受信時にはスイッチ回路ＳＷ１、ＳＷ２をオフにして、インダクタＬ１ａ，Ｌ１ｂ，Ｌ２ａ，Ｌ２ｂ、及び結合用インダクタＬａを有効化すると共に、キャパシタＣ３を有効化する。ＶＨＦハイバンドの受信時にはスイッチ回路ＳＷ１、ＳＷ２をオンにして、インダクタＬ１ｂ，Ｌ２ｂ、及び結合用インダクタＬａを無効化すると共に、キャパシタＣ３を無効化する。これにより、ＶＨＦローバンドの受信時には、インダクタＬ１ａ，Ｌ１ｂ，Ｌ２ａ，Ｌ２ｂ、結合用インダクタＬａ、キャパシタＣ１，Ｃ３によってイメージトラップ回路ＴＲが構成される。ＶＨＦハイバンドの受信時には、インダクタＬ１ａ，Ｌ２ａ、キャパシタＣ２によってイメージトラップ回路ＴＲが構成される。このため、ＶＨＦローバンド及びＶＨＦハイバンドの双方の帯域に適したイメージトラップ回路ＴＲが実現する。
【００５６】
図１３にＶＨＦローバンドの高域側受信時における本実施の形態の複同調回路１ｃの特性シミュレーション結果を示す。高域側の受信チャンネルは１１９．２５ＭＨｚでシミュレーションしている。図１４にＶＨＦハイバンドの高域側受信時における本実施の形態の複同調回路１ｃの特性シミュレーション結果を示す。高域側の受信チャンネルは３５９．２５ＭＨｚでシミュレーションしている。
【００５７】
また、図１５にＶＨＦローバンドの高域側受信時における図９の複同調回路１ｂの特性シミュレーション結果を示す。高域側の受信チャンネルは１１９．２５ＭＨｚでシミュレーションしている。また、イメージトラップ回路ＴＲのキャパシタＣ２の容量値はＶＨＦハイバンドの受信に最適化している。
【００５８】
図１３及び図１４から分かるように、本実施の形態の複同調回路１ｃではＶＨＦローバンドの高域側受信時及びＶＨＦハイバンドの高域側受信時の双方においてイメージ周波数位置での減衰は７７ｄＢとなっている。これは、イメージトラップ回路ＴＲが、キャパシタＣ２によってＶＨＦハイバンドの受信に最適化されると共に、キャパシタＣ２，Ｃ３によってＶＨＦローバンドの受信に最適化されているためである。一方で、キャパシタＣ２の容量値をＶＨＦハイバンドの受信に最適化した図９の複同調回路１ｂでは、ＶＨＦローバンドの高域側受信時においてイメージ周波数位置での減衰は５９ｄＢとなっている。このように、本実施の形態に係る複同調回路１ｃでは、インダクタＬ１ａ及びインダクタＬ１ｂの接続点と、インダクタＬ２ａ及びインダクタＬ２ｂの接続点との間にキャパシタＣ３が付加されることで、ＶＨＦローバンド及びＶＨＦハイバンドの双方の帯域に適したイメージトラップ特性が得られることが分かる。
【００５９】
本実施の形態は、他の実施の形態に示される構成と適宜組み合わせて実施可能である。
【００６０】
以上の説明では、ＶＨＦローバンドにおける高域側受信のイメージ妨害耐性の改善について説明したが、ＶＨＦハイバンド、ＵＨＦにおいてもＶＨＦローバンドと同様の周波数配置（低域側から高域側に分散されたチャンネル配置）であるので、同様に適用可能である。
【符号の説明】
【００６１】
１，１ａ，１ｂ，１ｃ  複同調回路
２  アンテナ同調回路
３  ＲＦ増幅回路
４  周波数混合器
Ｆ１，Ｆ１ａ  一次側同調回路
Ｆ２，Ｆ２ａ  二次側同調回路
ＴＲ  イメージトラップ回路
ＩＮ  複同調回路入力端子
ＯＵＴ  複同調回路出力端子
Ｌ１  第１インダクタ
Ｌ２  第２インダクタ
Ｌａ  結合用インダクタ
ＶＤ１、ＶＤ２  バラクタダイオード
Ｃ１  容量
Ｃ２  追加容量
【図１】
2011254452.tif 000003
【図２】
2011254452.tif 000004
【図３】
2011254452.tif 000005
【図４】
2011254452.tif 000006
【図５】
2011254452.tif 000007
【図６】
2011254452.tif 000008
【図７】
2011254452.tif 000009
【図８】
2011254452.tif 000010
【図９】
2011254452.tif 000011
【図１０】
2011254452.tif 000012
【図１１】
2011254452.tif 000013
【図１２】
2011254452.tif 000014
【図１３】
2011254452.tif 000015
【図１４】
2011254452.tif 000016
【図１５】
2011254452.tif 000017